(57)【要約】【課題】電極が取外されたシャンクの先端側に流量測定装置を接続することにより、流量計の取付，取外しが容易で水漏れの少なく、簡単に正確な流量の測定ができる抵抗溶接機用電極の冷却水の流量測定装置を提供する。【解決手段】冷却水の流入通路７及び流出通路８を有するシャンク５の先端側に接続される流量測定装置１であって、該流量測定装置が、一端側にシャンクの先端部を嵌挿する入口開口６を有し、内部にシャンクの流入通路及び流出通路とそれぞれ接続される計量流入通路９及び計量流出通路１０を有し、他端側が流量計３に接続される接続本体２と、前記接続本体内の計量流入通路に一端側が接続された流量計と、前記流量計の他端側と前記接続本体内の計量流出通路とを連結する戻し管４と、から構成されている抵抗溶接機用電極の冷却水の流量測定装置。【選択図】        図１
2006212653.tif 000002
【特許請求の範囲】
【請求項１】
抵抗溶接機の電極を冷却する冷却水の流量を測定する装置において、
冷却水の流入通路及び流出通路を有するシャンクの先端側に接続される流量測定装置であって、該流量測定装置が、
一端側にシャンクの先端部を嵌挿する入口開口を有し、内部にシャンクの流入通路及び流出通路とそれぞれ接続される計量流入通路及び計量流出通路を有し、他端側が流量計に接続される接続本体と、
前記接続本体内の計量流入通路に一端側が接続された流量計と、
前記流量計の他端側と前記接続本体内の計量流出通路とを連結する戻し管と、  から構成されていることを特徴とする抵抗溶接機用電極の冷却水の流量測定装置。
【発明の詳細な説明】
【技術分野】
【０００１】
本発明は、抵抗溶接機の電極を冷却する冷却水の流量を測定する装置に関するものである。
【背景技術】
【０００２】
従来，抵抗溶接機の電極を冷却する冷却水の流量を測定するために、電極を冷却した冷却水の戻り流路内に流量計を挿入して冷却水の流量を測定するようにしたものがある（例えば、特許文献１参照。）。
【０００３】
【特許文献１】特開平５ー１６１９８２号公報，図４
【発明の開示】
【発明が解決しようとする課題】
【０００４】
ところで、上記従来の技術においては、冷却水の流量を測定するのに、電極への冷却水の供給を一時停止して、冷却水の戻り流路の一部の接続を解き、この接続を解かれた管の両端に流量計の両端をそれぞれ接続して冷却水の戻り流路を再構築した後、冷却水を供給して流量計により冷却水の流量を測定しているため、冷却水の戻り流路の接続の解除と，流量計の両端の戻り流路への接続，あるいは給水の一時停止など、測定のための準備に多くの工数を必要とし、測定作業が面倒である、という問題がある。
【０００５】
本発明は、従来の技術の有するこのような問題点に鑑みてなされたものであり、その目的とするところは、電極が取外されたシャンクの先端側に流量測定装置を接続することにより、流量計の取付，取外しが容易で水漏れの少なく、簡単に正確な流量の測定ができる抵抗溶接機用電極の冷却水の流量測定装置を提供しようとするものである。
【課題を解決するための手段】
【０００６】
上記目的を達成するために、本発明における抵抗溶接機用電極の冷却水の流量測定装置は、冷却水の流入通路及び流出通路を有するシャンクの先端側に接続される流量測定装置であって、該流量測定装置が、一端側にシャンクの先端部を嵌挿する入口開口を有し、内部にシャンクの流入通路及び流出通路とそれぞれ接続される計量流入通路及び計量流出通路を有し、他端側が流量計に接続される接続本体と、前記接続本体内の計量流入通路に一端側が接続された流量計と、前記流量計の他端側と前記接続本体内の計量流出通路とを連結する戻し管と、から構成されていることを特徴とする、ものである。
【発明の効果】
【０００７】
本発明に係る抵抗溶接機用電極の冷却水の流量測定装置では、流量測定装置が、一端側にシャンクの先端部を嵌挿する入口開口を有し、内部にシャンクの流入通路及び流出通路とそれぞれ接続される計量流入通路及び計量流出通路を有し、他端側が流量計に接続される接続本体と、前記接続本体内の計量流入通路に一端側が接続された流量計と、前記流量計の他端側と前記接続本体内の計量流出通路とを連結する戻し管と、から構成されていて、この流量測定装置の入口開口に電極を外したシャンクの先端部を挿入するのみで、電極の冷却水の流量測定回路が簡単に形成されて流量計を備えた流量測定装置の取付，取外しが容易で、しかも計量流入通路及び計量流出通路が確実にシャンク内の流入通路及び流出通路と接続されて水漏れも少なく、正確な流量の測定ができる簡易な抵抗溶接機用電極の冷却水の流量測定装置となる。
【発明を実施するための最良の形態】
【０００８】
図１は本発明を実施するのに適した流量測定装置の概略説明図であり、この流量測定装置１は、接続本体２と、流量計３と、戻し管４とで構成されている。そして、この流量測定装置１はシャンク５の先端側に取付，取外しされるようになっている。
【０００９】
前記接続本体２は、その一端側に前記シャンク５の先端部を嵌挿する例えばゴム材のような弾性体からなる入口開口６を有し、内部に前記シャンク５の流入通路７及び流出通路８とそれぞれ接続される計量流入通路９及び計量流出通路１０を有し、他端側は計量流入通路９が接続ツ―ル１１を介して前記流量計３の一端側に接続されている。
【００１０】
この接続本体２は、上端に入口開口６を有する図示のような略Ｌ型状に形成することによって背丈の低い形状とすることができ、この形状にすれば流量測定装置１のシャンク５への取付け，取外しも容易となる。
【００１１】
また、流量計３は、受圧板１２，スプリング１３，目盛り１４等からなる普通に知られた構成を備えたものからなっている。
【００１２】
また、戻し管４は、その一端が接続ツ―ル１５を介して流量計３の他端側に接続され、該戻し管４の他端は接続ツ―ル１６を介して前記接続本体２内の計量流出通路１０に接続されている。
【００１３】
通常の溶接作業時には、シャンク５の先端部に仮想線で示すような電極１７が取付けられていて溶接動作を行われるが、このとき，電極１７の過熱を防止するため冷却水が、シャンク５の流入通路７から電極１７の内部に供給され電極１７を冷却した後，シャンク５の流出通路８に戻される。
【００１４】
そして、前記電極１７の内部に供給される冷却水の流量を知ることは電極の過熱防止の意味から重要なことであり、そのため，シャンク５の流入通路７から供給される冷却水の流量を測定することが極めて有効なことである。
【００１５】
そこで、その測定のためには、先ず，シャンク５から電極１７を取外し、流量測定装置１の入口開口６に電極１７を外したシャンク５の先端部を挿入する。
【００１６】
前記入口開口６に電極１７を外したシャンク５の先端部を挿入することによって、溶接機への流量測定装置１の設定は簡単にできる。そしてこの挿入によって、シャンク５の流入通路７及び流出通路８は接続本体２内の計量流入通路９及び計量流出通路１０にそれぞれ自動的に接続される。
【００１７】
そして、通常の手法によりシャンク５側へ冷却水を供給することにより、この供給された冷却水は流量測定装置１に確実に送られ、その流量が流量計３によって正確に測定され、該流量計３で測定された後の冷却水は戻し管４から接続本体２内の計量流出通路１０を経てシャンク５の流出通路８に確実に戻される。
【００１８】
また、冷却水の測定が終了したならば、単にシャンク５と流量測定装置１との連結を解きシャンク５に電極１７を取付けることにより、溶接機は簡単に通常の溶接機能を発揮し得るのである。
【００１９】
以上のように、本発明によれば、シャンク５への流量測定装置１の取付け，及び取外しは簡単にでき、流量測定装置１での冷却水の流量測定時に水漏れは少なく、正確な計測が可能である。
【００２０】
なお、冷却水の測定は、電極１７が消耗してその取り替えが必要な場合にシャンク５から電極１７を取外した時に実行すると特に有効である。
【図面の簡単な説明】
【００２１】
【図１】図１は本発明を実施するのに適した流量測定装置の概略説明図である。
【符号の説明】
【００２２】
１                        流量測定装置
２                        接続本体
３                        流量計
４                        戻し管
５                        シャンク
６                        入口開口
７                        流入通路
８                        流出通路
９                        計量流入通路
１０                      計量流出通路
１７                      電極
【図１】
2006212653.tif 000003